(57)【要約】      （修正有）【課題】癒し効果が十分期待できる装置を提供する。【解決手段】癒し効果を有する音を出力する音発生回路と，癒し効果を有する音と同一周波数の電磁波を出力する電磁波発生回路Ｂと，を備える癒し効果発生装置であって，癒し効果に必要な３つの要素である1/f周波数ゆらぎ，振幅ゆらぎ，音のゆらぎ及びこれらを組み合わせて音として出力するとともに，単調な音の繰り返しを防止すべく，適宜，同一周波数を有する電磁波として出力することで，継続的、かつ、重畳的な癒し効果を発揮する。【選択図】図１
2020091377.tif 000002
【特許請求の範囲】
【請求項１】
癒し効果を有する音を出力する音声出力部と，
前記癒し効果を有する音と同一周波数の電磁波を出力する電磁波出力部と，
を備えることを特徴とする癒し効果発生装置。
【請求項２】
前記癒し効果を有する音が，1/fゆらぎ成分，振幅ゆらぎ成分，及び音のゆらぎ成分を有する音のいずれか又は複数から選択される請求項１に記載の癒し効果発生装置。
【請求項３】
前記癒し効果を有する音が，少なくとも1/fゆらぎ成分を有する音を含む請求項１又は２に記載の記載の癒し効果発生装置。
【請求項４】
癒し効果を有する音を出力するとともに，
前記癒し効果を有する音と同一周波数の電磁波を出力することを特徴とする癒し効果発生方法。
【発明の詳細な説明】
【技術分野】
【０００１】
本発明は，癒し効果発生装置等に関する。
【背景技術】
【０００２】
現代社会において，多くの癒しが求められているといえる。
すなわち，現代社会は，日々の通勤や業務で，大きなストレスを感じるとともに，疲労の蓄積も増加している。加えて，地震や大雨などの自然災害も増加しており，非日常を強いられる生活において，大きなストレスと疲労を感じることとなる。
このように，現代社会においては，大きなストレスと疲労が伴うものであり，そのため，これらから回復する，もしくはこれらを和らげることが，より良い日常につながるものである。
これらより，現代社会においては，多くの癒しが求められているといえる。
【０００３】
癒しとこれより生じる抗疲労効果には，心理的・生理的・社会的な3つの効果があるといえる。
心理的効果とは，心理的にプラスに作用する効果であり，気分が向上したり，活気が出たりする効果や，「うつ」・「パニック障害」の予防，疲労感からの回復などである。
生理的効果とは，生理的な変化を伴う効果であり，ストレス低減などから生じる生体パラメーターや体調の変化などである。
社会的効果とは，社会性が向上する効果であり，高齢者同士等との会話が活発になる，雰囲気が明るくなる，ほとんど話をしない人が笑顔になるなどである。
【０００４】
このように癒しの効果は様々であり，その影響も大きいことから，種々の技術が開示されている（特許文献１）
【先行技術文献】
【特許文献】
【０００５】
【特許文献１】特開２００７−２９３２２４号公報
【発明の開示】
【発明が解決しようとする課題】
【０００６】
特許文献１には，癒し音発生装置に関する技術が開示されている。かかる技術は，癒し効果を有する小鳥の音や波の音などの自然音を予め収録し，これを所定の制御方法により，補正・増幅等を行ったうえで音声出力を行い，癒し効果を発揮する装置である。
かかる先行技術は，音声出力により，癒し効果が期待できる点において有用と考えられる。
しかるに，自然音の繰り返しなどが生じることが懸念され，この繰り返しは，かえってストレスが増幅され，癒し効果が期待できないことが懸念される点において先行技術は課題を有する。加えて，音声出力による聴覚にのみ作用する点においても，癒しとしての効果が必ずしも十分とは言えないものである。
また，特許文献１をはじめとして，癒しを与える装置は，未だ確立した技術とは言えないのが現状である。
【０００７】
上記事情を背景として本発明では，癒し効果が十分期待できる装置等の開発を課題とする。
【課題を解決するための手段】
【０００８】
発明者は，鋭意研究の結果，癒し効果を有する音と，これと同一周波数の電磁波を組み合わせて癒し効果を与えることに想到し，発明を完成させたものである。
すなわち，癒し効果に必要な３つの要素である，1/f周波数ゆらぎ，振幅ゆらぎ，音のゆらぎ，これらを組み合わせて音として出力するとともに，単調な音の繰り返しを防止すべく，適宜，音ではなく，同一周波数を有する電磁波として出力することで，継続的かつ重畳的な癒し効果の発揮が期待できるものである。
これより，本発明は，音のみならず電磁波を作用させることで，主として聴覚に対し効果的に作用し，癒し効果の発揮が期待されるものである。
【０００９】
また，発明者は，装置の外観をかわいらしい外観とするとともに，さわり心地に優れた材質とすることに想到し，発明を完成させたものである。
これより，視覚と触覚に対して効果的に作用し，癒し効果の発揮が期待されるものである。
【００１０】
本発明は，以下の構成からなる。
本発明の第一の構成は，癒し効果を有する音を出力する音声出力部と，前記癒し効果を有する音と同一周波数の電磁波を出力する電磁波出力部とを備えることを特徴とする癒し効果発生装置である。
本発明の第二の構成は，前記癒し効果を有する音が，1/fゆらぎ成分，振幅ゆらぎ成分，及び音のゆらぎ成分を有する音のいずれか又は複数から選択される第一の構成に記載の癒し効果発生装置である。
本発明の第三の構成は，前記癒し効果を有する音が，少なくとも1/fゆらぎ成分を有する音を含む第一又は第二の構成に記載の記載の癒し効果発生装置である。
本発明の第四の構成は，癒し効果を有する音を出力するとともに，前記癒し効果を有する音と同一周波数の電磁波を出力することを特徴とする癒し効果発生方法である。
【発明の効果】
【００１１】
本発明により，癒し効果が十分期待できる装置等の提供が可能となった。
【図面の簡単な説明】
【００１２】
【図１】本発明の癒し効果発生装置の装置構成の例を示した図。
【発明を実施するための形態】
【００１３】
本発明の癒し効果発生装置等について説明を行う。
【００１４】
＜＜発明の概要＞＞
本発明の癒し効果発生装置は，癒し効果を有する音を出力する音声出力部と，前記癒し効果を有する音と同一周波数の電磁波を出力する電磁波出力部とを備えることを特徴とする。同様に本発明の癒し効果発生方法は，癒し効果を有する音を出力するとともに，前記癒し効果を有する音と同一周波数の電磁波を出力することを特徴とする。
これにより，癒し効果について，音声のみならず，電磁波としても出力することが可能となり，単調な音の繰り返しを防止しつつ，継続的かつ重畳的な癒し効果の発揮が期待できるものである。
なお，本発明においては，音声と電磁波，これらの出力を基本的な態様とするが，これら両方，ないしいずれかのみの出力，これらを単独もしくは組み合わせて用いることができる。
【００１５】
本発明において，癒し効果を有する音は，1/fゆらぎ成分，振幅ゆらぎ成分，及び音のゆらぎ成分を有する音のいずれか又は複数から選択することができる。
1/fゆらぎ成分を有する音は，音の高低のゆらぎを有する音であり，例えば，人が奏でる楽器の音や自然音（波の音，川のせせらぎの音，滝の音，森の風と葉の揺れる音）などが挙げられる。
振幅ゆらぎ成分を有する音は，音の大小のゆらぎを有する音であり，例えば，お寺の鐘の音や風鈴の音などが挙げられる。
音のゆらぎ成分を有する音としては，例えば，梵鐘の音，音叉などが挙げられる。
これらのうち，少なくとも1/fゆらぎ成分を有する音を含むことが好ましい。これにより，人の聴覚能力を超えた周波数でのいやし効果を発揮することが可能となり，本発明の癒し効果発生装置の癒し効果を向上させることが期待できる。
【００１６】
本発明の癒し効果発生装置は，その外観を，癒し効果を有する外観とすることが好ましい。これにより，聴覚のみならず，視覚や触覚にうったえて癒し効果を発揮することが可能となり，本発明の癒し効果発生装置の癒し効果を向上させることが期待できる。
癒し効果を有する外観については，視覚による癒し効果が期待される限り特に限定する必要はなく，装置使用者や場所などに応じて，適宜，設定・選択することが可能である。
このような外観の例として，例えば，子供などを対象として人形やぬいぐるみ（ゆるキャラ，くまもんなど），生物としたり，成人を対象として往年のスターやアイドルの外観とするなどである。
これらの外観については，さわり心地のよい素材とすることが好ましい。これにより，実際に触れることにより癒し効果を感じることが可能となり，本発明の癒し効果発生装置の癒し効果を向上させることが期待できる。
【００１７】
＜＜第一実施形態＞＞
癒し効果発生装置について，図面を例にとり説明を行う。図１は，本発明の癒し効果発生装置の構成例を示した図である。
癒し効果発生装置は，第一電磁波出力部を含む第一回路と，第二電磁波出力部と音声出力部を含む第二回路と，を備える。
すなわち，電磁波出力として二系統有している。
【００１８】
まず，第一回路について説明する。
第一回路は，PICと，DACと，出力制御回路Ａと，電磁波発生回路と，を備える。
PICは，ペリフェラルインターフェイスコントローラのことであり，CPUやメモリ等が内蔵されている。
ここでは任意の６周波数の作成しておき，それぞれ選択可能にしておく。一例として，これらの周波数は，f＝396Hz，417Hz，528Hz，639Hz，741Hz，963Hzと設定した。
【００１９】
前提として，高調波には，次数が高いものから時間とともに消え，最終的に基音のみとなるという減衰する性質がある。
各波形に対して，シミュレーションにより仮の減衰近似式を適用し減衰を加味した波形を生成する。
例えば，梵鐘音に含まれる反響音は22，32，42，52，62の周波数が含まれており，この比率で求めた周波数の音を合成し，前記減衰を適用した音源を作成する。
【００２０】
また，複数のタイマ回路を制御して，波形データの出力タイミングを設定しておく。
そして，出力時間と出力値のデジタル値を求め，そのデジタル値をPICの内蔵メモリに格納する。
その出力タイミングでPIC内の内蔵メモリに格納しているデジタル値をDACに出力する。
【００２１】
DACは，デジタルアナログコンバーターであって，高調波を含むアナログ波形に変換し，出力制御回路Ａに入力する。
【００２２】
出力制御回路Ａは，出力の制御を行い，その下流のコイルを内蔵する電磁波発生回路Ａを介して電磁波を発生させる。
【００２３】
次に，第二回路について説明する。
第二回路は，MicroSDと，音声デコード回路と，出力制御回路Ｂと，電磁波発生回路Ｂと，音発生回路と，を備える。
MicroSDには音源をMP3形式で保存している。
この音源として，1/fゆらぎ成分，振幅ゆらぎ成分，及び音のゆらぎ成分を有する音，つまり癒し効果を有する音が選ばれる。
1/fゆらぎ成分を有する音として，森の風と葉の揺れる音，川のせせらぎ，波の音，滝の音，等がある。
振幅ゆらぎ成分を有する音としては，お寺の鐘音，風鈴の音等がある。
音のゆらぎ成分を有する音としては，教会での賛美歌合唱等である。
【００２４】
音声デコード回路は，MicroSDに保存された音源データをデコードして音声信号を作成する。この音声デコード回路とはいわゆるMP3デコーダである。
そしてこの音声信号を出力制御回路Ｂに入力する。
【００２５】
出力制御回路Ｂは，出力の制御を行い，その下流のコイルを内蔵する電磁波発生回路Ｂを介して電磁波を発生させる。
それとともに，出力制御回路Ｂから音発生回路を介して音としても出力する。
これからわかるように，電磁波発生回路Ｂと音発生回路とは同じ音源を使用しているので，電磁波発生回路Ｂから出る電磁波と音発生回路から出る音は同一周波数である。
【００２６】
以上の回路は制御基板上に配置されており，その制御基板はぬいぐるみに組み込まれている。
また，電源としては乾電池を使用した。
【００２７】
このように構成された癒し効果発生装置によると，心身ストレスに対する癒しと抗疲労の効果がある。
より詳しくは，第一に心理的効果として，気分が向上したり，活気が出たり，うつの予防効果，疲労感からの回復などがある。
第二に生理的効果として，ストレス低減による体成分の変化がある。
第三に社会的効果として，高齢者・子供同士等との会話が活発になる，雰囲気が明るくなる，ほとんど話をしない人が笑顔になる等の効果がある。
【００２８】
しかもこれらの効果は，薬物を使用することなく得られるので，安全であり，家庭内の日常空間に置いて楽しみながら使用できる。
【００２９】
さらに，癒し効果発生装置の制御基板がぬいぐるみに組み込まれているので，そのぬいぐるみを見て触るだけで誰もが笑顔になり心に安心感が生まれる。換言すれば，ぬいぐるみは視覚と触覚を刺激，心を和ませて人を笑顔にする。
【００３０】
＜＜第二実施形態＞＞
本実施形態の第一実施形態との違いは，本実施形態では第一実施形態における第二回路は有さず，第一回路を備えるのみである（不図示）。
すなわち本実施形態に係る癒し効果発生装置は，第一回路として，PICと，DACと，出力制御回路Ａと，電磁波発生回路と，を備える。
これらの各構成要素は第一実施形態におけるものと同一である。
【００３１】
本実施形態に係る癒し効果発生装置によると，電磁波しか発生させないので長時間出力しても耳触りになることがなく，一方で癒し効果は備えることになる。
【００３２】
なお，第一実施形態において，癒し効果を有する音として1/fゆらぎ成分，振幅ゆらぎ成分，及び音のゆらぎ成分を有する音であるとしたが，これに限られるものではなく，これらのうち少なくとも一つを含んでいればよい。
【００３３】
また，第二回路における音源保存媒体としてMicroSDとしたが，これに限られるものではない。
また，電源として乾電池を使用したが，これに限られるものではない。
【００３４】
さらに，第一回路における周波数の種類を６つとしたが，他の数でもよく，例えば１種類であってもよい。
【００３５】
また，構成として第二回路を備えていて，音を出力しないスイッチを備えることで第一回路に係る電磁波だけ発生させてもよい。
【００３６】
その他，各種調整のための回路の有無は本発明の本質ではない。
【図１】
2020091377.tif 000003